(57)【要約】【課題】  ポータブルコンピュータ装置の拡充スロットの提供。【解決手段】  ポータブルコンピュータ、及び拡充ユニットを具え、該ポータブルコンピュータは上表面、下表面、上縁、底縁、及び二つの側縁を具え、下表面の底縁に近接する部分に内向きに凹んだ拡充凹溝が形成され、並びに該拡充凹溝周縁に第１係合手段が設けられ、該拡充凹溝が凹面、二つの側壁、及び上壁を具え、且つ該二つの側壁に第１案内構造が設けられ、拡充ユニットは上表面、下表面、前側辺、及び二つの側辺を具え、この二つの側辺にそれぞれ第２案内構造が設けられ、該第２案内構造が該拡充凹溝の第１案内構造に対応し並びに相対スライド可能とされ、該拡充ユニットの案内により該拡充凹溝内に進入し、また該拡充ユニットの前側辺に第１係合手段に対応する第２係合手段が設けられ、該第１係合手段と第２係合手段の結合により該拡充ユニットが該拡充凹溝内に係合される。【選択図】        図１
2004318815.tif 000002
【特許請求の範囲】
【請求項１】
ポータブルコンピュータと拡充ユニットからなり、
該ポータブルコンピュータは、上表面、下表面、上縁、底縁、及び二つの側縁を具え、下表面の底縁に近接する部分に内向きに凹んだ拡充凹溝が形成され、並びに該拡充凹溝周縁に第１係合手段が設けられ、該拡充凹溝が凹面、二つの側壁、及び上壁を具え、且つ該二つの側壁に第１案内構造が設けられ、
該拡充ユニットは上表面、下表面、前側辺、及び二つの側辺を具え、この二つの側辺にそれぞれ第２案内構造が設けられ、該第２案内構造が該拡充凹溝の第１案内構造に対応し並びに相対スライド可能とされ、該拡充ユニットの案内により該拡充凹溝内に進入し、また該拡充ユニットの前側辺に第１係合手段に対応する第２係合手段が設けられ、該第１係合手段と第２係合手段の結合により該拡充ユニットが該拡充凹溝内に係合されることを特徴とする、ポータブルコンピュータ装置の拡充スロット。
【請求項２】
請求項１記載のポータブルコンピュータ装置の拡充スロットにおいて、スタンドを更に具え、該スタンドがＵ形を呈し且つ二つの延伸アームと一つの支持アームからなり、各延伸アームの末端にコンピュータの側縁が枢設され、該スタンドが回転して所定の角度に展開することによりコンピュータを起こした状態で支持するよう形成されたことを特徴とする、ポータブルコンピュータ装置の拡充スロット。
【請求項３】
請求項１記載のポータブルコンピュータ装置の拡充スロットにおいて、拡充ユニットの前側辺に電気信号プラグが設けられ、且つ拡充凹溝の上壁に該電気信号プラグに対応して分離可能に組み合わされて電気信号の接続を形成する電気信号ソケットが設けられたことを特徴とする、ポータブルコンピュータ装置の拡充スロット。
【請求項４】
請求項３記載のポータブルコンピュータ装置の拡充スロットにおいて、拡充ユニットがＣＤドライブとされたことを特徴とする、ポータブルコンピュータ装置の拡充スロット。
【請求項５】
請求項３記載のポータブルコンピュータ装置の拡充スロットにおいて、拡充ユニットがＦＤドライブとされたことを特徴とする、ポータブルコンピュータ装置の拡充スロット。
【請求項６】
請求項３記載のポータブルコンピュータ装置の拡充スロットにおいて、拡充ユニットが拡充電池とされたことを特徴とする、ポータブルコンピュータ装置の拡充スロット。
【請求項７】
請求項１記載のポータブルコンピュータ装置の拡充スロットにおいて、拡充ユニットが収納箱とされたことを特徴とする、ポータブルコンピュータ装置の拡充スロット。
【請求項８】
請求項１記載のポータブルコンピュータ装置の拡充スロットにおいて、拡充ユニットがキーボードとされたことを特徴とする、ポータブルコンピュータ装置の拡充スロット。
【請求項９】
請求項１記載のポータブルコンピュータ装置の拡充スロットにおいて、弾性係合手段がリリースノードとされたことを特徴とする、ポータブルコンピュータ装置の拡充スロット。
【発明の詳細な説明】
【技術分野】
【０００１】
本発明は一種のポータブルコンピュータ装置の拡充スロットに係り、特にフラットパネルコンピュータに適用される拡充スロットに関する。
【背景技術】
【０００２】
ポータブルコンピュータ（ノートブック型コンピュータ、フラットパネルコンピュータ）はその高度の携帯性、及び配線を省略した特徴により、近年、徐々にデスクトップ型コンピュータの代わりに採用される傾向にある。
【０００３】
フラットパネルコンピュータは、そのうちの急速に成長している製品の一つであり、手書き入力、デジタルインク等の特徴を追求している。軽量化、薄型化、コンパクト化を図るため、フラットパネルコンピュータは選択的に、キーボード等の配備を破棄しうる。また、周辺部品のなかには、例えばイヤホン、ネットワークケーブルのように別に携帯しなければならないものがあり、コンピュータと分離されて放置されるために遺失や使用時に探し出せない状況が発生する欠点がある。
【０００４】
このほか、コンパクトさを求めるため、コンピュータにはあまり多くのアダプタを設置することができず、このため余分のポートレプリケータ（ｐｏｒｔ  ｒｅｐｌｉｃａｔｏｒ）或いは類似の構造を外接しなければプロジェクタ等の周辺設備を接続できない場合がよくある。さらにフラットパネルの構造はノートブック型コンピュータのようにはスクリーン角度を調整することができず、使用上、不便を形成した。
【発明の開示】
【発明が解決しようとする課題】
【０００５】
本発明は一種のポータブルコンピュータ装置の拡充スロットを提供し、簡便な方式でコンピュータに付随してキーボード或いはその他の附属アクセサリを携帯できるようにすることを目的としている。
【０００６】
本発明はまた一種のポータブルコンピュータ装置の拡充スロットを提供し、簡便な方式で周辺配備を拡充できる機能を達成できるようにすることを目的としている。
【課題を解決するための手段】
【０００７】
請求項１の発明は、ポータブルコンピュータと拡充ユニットからなり、
該ポータブルコンピュータは、上表面、下表面、上縁、底縁、及び二つの側縁を具え、下表面の底縁に近接する部分に内向きに凹んだ拡充凹溝が形成され、並びに該拡充凹溝周縁に第１係合手段が設けられ、該拡充凹溝が凹面、二つの側壁、及び上壁を具え、且つ該二つの側壁に第１案内構造が設けられ、
該拡充ユニットは上表面、下表面、前側辺、及び二つの側辺を具え、この二つの側辺にそれぞれ第２案内構造が設けられ、該第２案内構造が該拡充凹溝の第１案内構造に対応し並びに相対スライド可能とされ、該拡充ユニットの案内により該拡充凹溝内に進入し、また該拡充ユニットの前側辺に第１係合手段に対応する第２係合手段が設けられ、該第１係合手段と第２係合手段の結合により該拡充ユニットが該拡充凹溝内に係合されることを特徴とする、ポータブルコンピュータ装置の拡充スロットとしている。
請求項２の発明は、請求項１記載のポータブルコンピュータ装置の拡充スロットにおいて、スタンドを更に具え、該スタンドがＵ形を呈し且つ二つの延伸アームと一つの支持アームからなり、各延伸アームの末端にコンピュータの側縁が枢設され、該スタンドが回転して所定の角度に展開することによりコンピュータを起こした状態で支持するよう形成されたことを特徴とする、ポータブルコンピュータ装置の拡充スロットとしている。
請求項３の発明は、請求項１記載のポータブルコンピュータ装置の拡充スロットにおいて、拡充ユニットの前側辺に電気信号プラグが設けられ、且つ拡充凹溝の上壁に該電気信号プラグに対応して分離可能に組み合わされて電気信号の接続を形成する電気信号ソケットが設けられたことを特徴とする、ポータブルコンピュータ装置の拡充スロットとしている。
請求項４の発明は、請求項３記載のポータブルコンピュータ装置の拡充スロットにおいて、拡充ユニットがＣＤドライブとされたことを特徴とする、ポータブルコンピュータ装置の拡充スロットとしている。
請求項５の発明は、請求項３記載のポータブルコンピュータ装置の拡充スロットにおいて、拡充ユニットがＦＤドライブとされたことを特徴とする、ポータブルコンピュータ装置の拡充スロットとしている。
請求項６の発明は、請求項３記載のポータブルコンピュータ装置の拡充スロットにおいて、拡充ユニットが拡充電池とされたことを特徴とする、ポータブルコンピュータ装置の拡充スロットとしている。
請求項７の発明は、請求項１記載のポータブルコンピュータ装置の拡充スロットにおいて、拡充ユニットが収納箱とされたことを特徴とする、ポータブルコンピュータ装置の拡充スロットとしている。
請求項８の発明は、請求項１記載のポータブルコンピュータ装置の拡充スロットにおいて、拡充ユニットがキーボードとされたことを特徴とする、ポータブルコンピュータ装置の拡充スロットとしている。
請求項９の発明は、請求項１記載のポータブルコンピュータ装置の拡充スロットにおいて、弾性係合手段がリリースノードとされたことを特徴とする、ポータブルコンピュータ装置の拡充スロットとしている。
【発明の効果】
【０００８】
本発明のポータブルコンピュータ装置の拡充スロットは、ポータブルコンピュータの軽量化、薄型化の傾向にあって、機体厚さを増さない方式で、コンピュータ拡充を達成する目的を達成し、またスタンドを利用する方式により、フラットパネルコンピュータを異なる角度で立てることができ、使用者に多くの視角選択を提供する。
【発明を実施するための最良の形態】
【０００９】
本発明のポータブルコンピュータ装置の拡充スロットは、ポータブルコンピュータと拡充ユニットからなり、該ポータブルコンピュータは、上表面、下表面、上縁、底縁、及び二つの側縁を具え、下表面の底縁に近接する部分に内向きに凹んだ拡充凹溝が形成され、並びに該拡充凹溝周縁に第１係合手段が設けられ、該拡充凹溝が凹面、二つの側壁、及び上壁を具え、且つ該二つの側壁に第１案内構造が設けられている。上記拡充ユニットは上表面、下表面、前側辺、及び二つの側辺を具え、この二つの側辺にそれぞれ第２案内構造が設けられ、該第２案内構造が該拡充凹溝の第１案内構造に対応し並びに相対スライド可能とされ、該拡充ユニットの案内により該拡充凹溝内に進入し、また該拡充ユニットの前側辺に第１係合手段に対応する第２係合手段が設けられ、該第１係合手段と第２係合手段の結合により該拡充ユニットが該拡充凹溝内に係合される。
【００１０】
簡単に言うと、本発明のポータブルコンピュータ装置の背面には、拡充凹溝とそれに対応する拡充ユニットが設けられ、この拡充ユニットはキーボード、アクセサリ収納箱或いは拡充ポートとされ得て、これによりポータブルコンピュータが簡単な方式で、必要に応じてコンピュータに付随して各種周辺装置を携帯可能なものとされ、また該ポータブルコンピュータ装置の軽薄な特性が損なわないものとされている。
【実施例１】
【００１１】
図１は本発明の実施例１の表示図である。図示されるように、フラットパネルコンピュータ１は、上表面１１１、下表面１１２、上縁１１３、底縁１１４、及び二つの側縁１１５、１１６を具え、下表面１１２の底縁１１４に近接する部分に内向きに凹んだ拡充凹溝２が形成され、並びに該拡充凹溝２周縁に弾性係合手段２４が設けられている。該拡充凹溝２は凹面２０、二つの側壁２１、２２、及び上壁２３を具え、且つ該二つの側壁２１、２２に第１案内凸條２１１が設けられている。さらにキーボード４が組み合わされ、該キーボード４は上表面４２１、下表面４２２、前側辺４２３、及び二つの側辺４１を具え、その上表面４２１にキーボードのキーが設けられ、並びに二つの側辺４１に相互に平行な案内凹溝４１１が設けられ、該案内凹溝４１１は該拡充凹溝２の案内凸條２１１に対応し並びにそれと相対スライドを形成し、これによりキーボード４が該拡充凹溝２内に導入され、且つ該前側辺４２３にフック４４が設けられ、該フック４４が弾性係合手段２４に対応し、並びに該キーボード４（拡充ユニット）が該拡充凹溝２内に係合される。
【００１２】
本実施例中、拡充ユニットはキーボード４とされているが、本発明の拡充ユニットはキーボードに限定されるわけではなく、キーボードが不要で拡充電池（ｅｘｔｅｎｄｅｄ
ｂａｔｔｅｒｙ）を使用してコンピュータ使用時間を延長する必要である時は、拡充電池４０１に交換でき、また、ネットワークケーブル、音源ケーブル、モデム電話線、電源線等の周辺部品をフラットパネルコンピュータと共に携帯したい時には、収納箱４０２に交換して上述の部品を収納することができる。
【００１３】
また、弾性係合手段２４はリリースノード（ｒｅｌｅａｓｅ  ｎｏｄｅ）とされうる。
【００１４】
状況によっては使用者が拡充スロット、例えばＶＧＡ−ｏｕｔ、Ｃｏｍ−ｐｏｒｔ、或いはパラレルポートのないコンピュータを使用しており、別にポートレプリケータを使用しなければならないことがあるが、このためにコンピュータの体積のほか、ポートレプリケータの体積が加わるために、携帯と使用に不便が形成されることがある。これにより、本発明の拡充ユニットはまたポートレプリケータとされ得て、それは従来の拡充アダプタを含み、使用に供される。
【００１５】
このほか、使用に便利なように、一般にフラットパネルコンピュータはワンスピンドル設計を採用し、即ちコンピュータ中にハードディスクを設置するだけで、ＣＤドライブ、ＦＤドライブは外接するが、このため同様に上述の使用者の不便を形成する。このため本発明の拡充ユニットはまたＣＤドライブ或いはＦＤドライブとされうる。このような状況下で、該フラットパネルコンピュータの拡充スロットの上壁２３部分には電気信号ソケット２５を設置する必要があり、拡充ユニットの前側縁４２３には該電気信号ソケット２５に対応する電気信号プラグ４５が設置され、これにより拡充ユニット４と該フラットパネルコンピュータ１の間の電気信号の伝送が行なわれる。
【００１６】
続いて図２を参照されたい。図２は本発明の実施例１の使用状態表示図である。本図中、拡充ユニットはキーボードとされている。このような使用状態下で、該キーボード４は一旦拡充凹溝２より引き出された後、無線方式（例えば高周波ＲＦ、或いは赤外線）によりキーボードの出力する信号をコンピュータに伝送する。当然、このキーボードは必ずしも無線方式で信号を伝送する必要はなく、信号伝送線で該キーボードと該コンピュータを接続することも可能で、これは製造コストと商品の方向により定められる。
【実施例２】
【００１７】
図３は本発明の第２実施例の表示図である。本図中、該フラットパネルコンピュータの背面には更にＵ形スタンド３が設置され、このスタンドは二つの延伸アーム３１と支持アーム３２を具えている。このスタンド３は二つの延伸アーム３１の末端に該フラットパネルコンピュータ１の二つの側縁１１５、１１６が枢設される。該スタンド３が後ろ向きに所定の角度展開可能で、並びに異なる枢設方式（分段枢設、摩擦枢設）を利用し、スタンドが特定角度に固定され、これによりフラットパネルコンピュータ１が起こされて起立状態とされ、使用に便利とされ、これは図４に示されるとおりである。
【図面の簡単な説明】
【００１８】
【図１】本発明の実施例１の表示図である。
【図２】本発明の実施例１の使用状態表示図である。
【図３】本発明の実施例２の表示図である。
【図４】本発明の実施例２の使用状態側面図である。
【符号の説明】
【００１９】
１  フラットパネルコンピュータ
１１１  上表面
１１２  下表面
１１６  側縁
２  拡充凹溝
２０  凹面
２１  側壁
２１１  案内凸條
２２  側壁
２３  上壁
２４  弾性係合手段
２５  電気信号ソケット
３  スタンド
３１  延伸アーム
３２  支持アーム
４  キーボード
４０１  拡充電池
４０２  収納箱
４１  側辺
４１１  案内凹溝
４２１  上表面
４２２  下表面
４２３  前側辺
４４  フック
４５  電気信号プラグ
【図１】
2004318815.tif 000003
【図２】
2004318815.tif 000004
【図３】
2004318815.tif 000005
【図４】
2004318815.tif 000006